【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
映像データを符号化し、映像ストリームを生成する映像符号化部と、
音声データを符号化し、音声ストリームを生成する音声符号化部と、
前記映像ストリームと前記音声ストリームとを多重化して多重化ストリームを生成する多重化部であって、先行する第１の多重化ストリームと後続の第２の多重化ストリームとを続けて１つの連続した多重化ストリームとして再生可能なように前記多重化ストリームを生成する多重化部と、
前記多重化ストリームを記録媒体に記録する記録部と、
前記多重化ストリームから取得されるストリームの種類に関わらず第１の速度で占有量が増加し、前記映像ストリームに含まれるピクチャの復号時刻に当該ピクチャの符号量に相当する量だけ占有量が減少する第１の仮想バッファと、
前記多重化ストリームから前記映像ストリームが取得される期間のみ、前記第１の速度よりも高速な第２の速度で占有量が増加し、前記映像ストリームに含まれるピクチャの復号時刻に当該ピクチャの符号量に相当する量だけ占有量が減少する第２の仮想バッファと、
前記映像データ中の符号化対象のピクチャの復号時刻における、前記第１の仮想バッファの減少前の占有量と前記第２の仮想バッファの減少前の占有量とを比較し、小さい方の占有量を当該符号化対象のピクチャに割り当てる符号量の上限値として前記映像符号化部に設定する制御部と、
を備えることを特徴とする記録装置。
【請求項２】
前記制御部は、前記映像符号化部が前記第２の多重化ストリームのための符号化を開始した後に前記第２の仮想バッファの占有量が前記第１の仮想バッファの占有量よりも大きくなると前記比較を停止し、前記比較の停止中は、前記第１の仮想バッファの占有量を前記上限値として前記映像符号化部に設定することを特徴とする請求項１に記載の記録装置。
【請求項３】
前記第１の仮想バッファはＭＰＥＧ規格のＶＢＶバッファであり、
前記第２の仮想バッファはＭＰＥＧ規格のＰ−ＳＴＤバッファである
ことを特徴とする請求項１又は２に記載の記録装置。
【請求項４】
前記映像符号化部は、符号化されたピクチャの符号量が前記制御部により設定された前記上限値を超えないように、前記符号化対象のピクチャを符号化することを特徴とする請求項１乃至３のいずれか１項に記載の記録装置。
【請求項５】
映像データを符号化し、映像ストリームを生成する映像符号化部と、
音声データを符号化し、音声ストリームを生成する音声符号化部と、
前記映像ストリームと前記音声ストリームとを多重化して多重化ストリームを生成する多重化部であって、先行する第１の多重化ストリームと後続の第２の多重化ストリームとを続けて１つの連続した多重化ストリームとして再生可能なように前記多重化ストリームを生成する多重化部と、
前記多重化ストリームを記録媒体に記録する記録部と、
前記多重化ストリームから取得されるストリームの種類に関わらず第１の速度で占有量が増加し、前記映像ストリームに含まれるピクチャの復号時刻に当該ピクチャの符号量に相当する量だけ占有量が減少する第１の仮想バッファと、
前記多重化ストリームから前記映像ストリームが取得される期間のみ、前記第１の速度よりも高速な第２の速度で占有量が増加し、前記映像ストリームに含まれるピクチャの復号時刻に当該ピクチャの符号量に相当する量だけ占有量が減少する第２の仮想バッファと、
を備える記録装置の制御方法であって、
前記記録装置の制御手段が、前記映像データ中の符号化対象のピクチャの復号時刻における、前記第１の仮想バッファの減少前の占有量と前記第２の仮想バッファの減少前の占有量とを比較し、小さい方の占有量を当該符号化対象のピクチャに割り当てる符号量の上限値として前記映像符号化部に設定する制御工程
を備えることを特徴とする制御方法。
【請求項６】
映像データを符号化し、映像ストリームを生成する映像符号化部と、
音声データを符号化し、音声ストリームを生成する音声符号化部と、
前記映像ストリームと前記音声ストリームとを多重化して多重化ストリームを生成する多重化部であって、先行する第１の多重化ストリームと後続の第２の多重化ストリームとを続けて１つの連続した多重化ストリームとして再生可能なように前記多重化ストリームを生成する多重化部と、
前記多重化ストリームを記録媒体に記録する記録部と、
前記多重化ストリームから取得されるストリームの種類に関わらず第１の速度で占有量が増加し、前記映像ストリームに含まれるピクチャの復号時刻に当該ピクチャの符号量に相当する量だけ占有量が減少する第１の仮想バッファと、
前記多重化ストリームから前記映像ストリームが取得される期間のみ、前記第１の速度よりも高速な第２の速度で占有量が増加し、前記映像ストリームに含まれるピクチャの復号時刻に当該ピクチャの符号量に相当する量だけ占有量が減少する第２の仮想バッファと、
を備える記録装置のコンピュータに、
前記映像データ中の符号化対象のピクチャの復号時刻における、前記第１の仮想バッファの減少前の占有量と前記第２の仮想バッファの減少前の占有量とを比較し、小さい方の占有量を当該符号化対象のピクチャに割り当てる符号量の上限値として前記映像符号化部に設定する制御工程
を実行させるためのプログラム。
【手続補正２】
【補正対象書類名】明細書
【補正対象項目名】００１５
【補正方法】変更
【補正の内容】
【００１５】
また、第２の本発明は、映像データを符号化し、映像ストリームを生成する映像符号化部と、音声データを符号化し、音声ストリームを生成する音声符号化部と、前記映像ストリームと前記音声ストリームとを多重化して多重化ストリームを生成する多重化部であって、先行する第１の多重化ストリームと後続の第２の多重化ストリームとを続けて１つの連続した多重化ストリームとして再生可能なように前記多重化ストリームを生成する多重化部と、前記多重化ストリームを記録媒体に記録する記録部と、前記多重化ストリームから取得されるストリームの種類に関わらず第１の速度で占有量が増加し、前記映像ストリームに含まれるピクチャの復号時刻に当該ピクチャの符号量に相当する量だけ占有量が減少する第１の仮想バッファと、前記多重化ストリームから前記映像ストリームが取得される期間のみ、前記第１の速度よりも高速な第２の速度で占有量が増加し、前記映像ストリームに含まれるピクチャの復号時刻に当該ピクチャの符号量に相当する量だけ占有量が減少する第２の仮想バッファと、を備える記録装置の制御方法であって、前記記録装置の制御手段が、前記映像データ中の符号化対象のピクチャの復号時刻における、前記第１の仮想バッファの減少前の占有量と前記第２の仮想バッファの減少前の占有量とを比較し、小さい方の占有量を当該符号化対象のピクチャに割り当てる符号量の上限値として前記映像符号化部に設定する制御工程を備えることを特徴とする制御方法を提供する。
【手続補正３】
【補正対象書類名】明細書
【補正対象項目名】００１６
【補正方法】変更
【補正の内容】
【００１６】
また、第３の本発明は、映像データを符号化し、映像ストリームを生成する映像符号化部と、音声データを符号化し、音声ストリームを生成する音声符号化部と、前記映像ストリームと前記音声ストリームとを多重化して多重化ストリームを生成する多重化部であって、先行する第１の多重化ストリームと後続の第２の多重化ストリームとを続けて１つの連続した多重化ストリームとして再生可能なように前記多重化ストリームを生成する多重化部と、前記多重化ストリームを記録媒体に記録する記録部と、前記多重化ストリームから取得されるストリームの種類に関わらず第１の速度で占有量が増加し、前記映像ストリームに含まれるピクチャの復号時刻に当該ピクチャの符号量に相当する量だけ占有量が減少する第１の仮想バッファと、前記多重化ストリームから前記映像ストリームが取得される期間のみ、前記第１の速度よりも高速な第２の速度で占有量が増加し、前記映像ストリームに含まれるピクチャの復号時刻に当該ピクチャの符号量に相当する量だけ占有量が減少する第２の仮想バッファと、を備える記録装置のコンピュータに、前記映像データ中の符号化対象のピクチャの復号時刻における、前記第１の仮想バッファの減少前の占有量と前記第２の仮想バッファの減少前の占有量とを比較し、小さい方の占有量を当該符号化対象のピクチャに割り当てる符号量の上限値として前記映像符号化部に設定する制御工程を実行させるためのプログラムを提供する。